(57)【要約】【課題】  外出時において携帯端末の電池の充電容量の残量が無くなることを抑制する技術を提供する。【解決手段】  本件開示の監視装置は、携帯端末から送信される携帯端末の電池の充電容量を示す電池情報と、携帯端末の位置および位置の時間的な変化を示す位置情報とを受信する受信部と、電池情報に基づいて充電容量の残量が所定量以下であると判定したときに、位置情報を用いて携帯端末を所持する利用者の移動速度を算出する第１算出部と、第１算出部で算出された移動速度と、位置情報に含まれる携帯端末の位置とに基づいて、携帯端末を利用可能な状態で利用者が移動可能な範囲を算出する第２算出部と、第２算出部で算出された利用者が移動可能な範囲に存在する電池の充電器の場所を示す情報を抽出する抽出部と、抽出部により抽出された情報を携帯端末に送信する送信部とを有する。【選択図】  図１
2014179890.tif 000002
【特許請求の範囲】
【請求項１】
携帯端末から送信される前記携帯端末の電池の充電容量を示す電池情報と、前記携帯端末の位置および位置の時間的な変化を示す位置情報とを受信する受信部と、
前記電池情報に基づいて前記充電容量の残量が所定量以下であると判定したときに、前記位置情報を用いて前記携帯端末を所持する利用者の移動速度を算出する第１算出部と、
前記第１算出部で算出された前記移動速度と、前記位置情報に含まれる前記携帯端末の位置とに基づいて、前記携帯端末を利用可能な状態で前記利用者が移動可能な範囲を算出する第２算出部と、
前記第２算出部で算出された前記利用者が移動可能な範囲に存在する前記電池の充電器の場所を示す情報を抽出する抽出部と、
前記抽出部により抽出された情報を前記携帯端末に送信する送信部と
を有することを特徴とする監視装置。
【請求項２】
請求項１に記載の監視装置において、
前記第１算出部は、前記位置情報に含まれる前記携帯端末の位置が前記利用者の自宅の位置を示す場合に、前記充電容量の残量の判定および前記移動速度の算出を禁止する
ことを特徴とする監視装置。
【請求項３】
請求項１または請求項２に記載の監視装置において、
前記受信部は、前記携帯端末から送信される前記携帯端末の充電状態を示す充電情報を受信し、
前記第１算出部は、前記充電情報が前記携帯端末の充電中を示す場合に、前記充電容量の残量の判定および前記移動速度の算出を禁止する
ことを特徴とする監視装置。
【請求項４】
請求項１ないし請求項３のいずれか１項に記載の監視装置において、
前記受信部が時間間隔を置いて複数回受信する前記電池情報を用いて算出される前記充電容量の減少速度が、基準速度を超える場合に、前記電池の劣化を判定する判定部を有し、
前記送信部は、前記判定部で判定された前記電池の劣化を示す情報を前記携帯端末に送信する
ことを特徴とする監視装置。
【請求項５】
請求項４に記載の監視装置において、
前記判定部は、前記携帯端末がスタンバイ状態中に前記電池の劣化を判定する
ことを特徴とする監視装置。
【請求項６】
請求項４に記載の監視装置において、
前記判定部は、前記携帯端末がスタンバイ状態中に前記充電容量の減少速度が第１の基準速度を超える場合に、前記電池の劣化を判定し、前記携帯端末が操作状態中に前記充電容量の減少速度が前記第１の基準速度より高い第２の基準速度を超える場合に、前記電池の劣化を判定する
ことを特徴とする監視装置。
【請求項７】
請求項１ないし請求項６のいずれか１項に記載の監視装置において、
前記送信部は、前記第１算出部が前記電池情報に基づいて前記充電容量の残量が前記所定量以下であると判定したときに、予め登録された前記利用者を除く人物に前記充電容量の残量が不足していることを示す情報を送信する
ことを特徴とする監視装置。
【請求項８】
請求項１ないし請求項７のいずれか１項に記載の監視装置において、
前記受信部は、前記位置情報とともに前記利用者の所定時間当たりの歩数を示す歩数情報を受信し、
前記第１算出部は、前記位置情報を用いて前記利用者の移動した距離を算出するとともに前記歩数情報と予め登録された前記利用者の歩幅を示す歩幅情報とを用いて前記利用者の移動した距離を算出し、前記位置情報を用いて算出した距離を前記歩数情報と前記歩幅情報とを用いて算出した距離で補正し、補正された前記利用者の移動した距離を用いて前記利用者の移動速度を算出する
ことを特徴とする監視装置。
【請求項９】
携帯端末と、前記携帯端末の電池の充電容量の残量を監視する監視装置とを備え、
前記監視装置は、
前記携帯端末から送信される前記携帯端末の前記電池の充電容量を示す電池情報と、前記携帯端末の位置および位置の時間的な変化を示す位置情報とを受信する受信部と、
前記電池情報に基づいて前記充電容量の残量が所定量以下であると判定したときに、前記位置情報を用いて前記携帯端末を所持する利用者の移動速度を算出する第１算出部と、
前記第１算出部で算出された前記移動速度と、前記位置情報に含まれる前記携帯端末の位置とに基づいて、前記携帯端末を利用可能な状態で前記利用者が移動可能な範囲を算出する第２算出部と、
前記第２算出部で算出された前記利用者が移動可能な範囲に存在する前記電池の充電器の場所を示す情報を抽出する抽出部と、
前記抽出部により抽出された情報を前記携帯端末に送信する送信部とを有する
ことを特徴とする監視システム。
【請求項１０】
携帯端末から送信される前記携帯端末の電池の充電容量を示す電池情報と、前記携帯端末の位置および位置の時間的な変化を示す位置情報とを受信し、
前記電池情報に基づいて前記充電容量の残量が所定量以下であると判定したときに、前記位置情報を用いて前記携帯端末を所持する利用者の移動速度を算出し、
算出された前記移動速度と、前記位置情報に含まれる前記携帯端末の位置とに基づいて、前記携帯端末を利用可能な状態で前記利用者が移動可能な範囲を算出し、
算出された前記利用者が移動可能な範囲に存在する前記電池の充電器の場所を示す情報を抽出し、
抽出された情報を前記携帯端末に送信する
ことを特徴とする監視方法。
【発明の詳細な説明】
【技術分野】
【０００１】
本発明は、携帯端末の監視装置、監視システムおよび監視方法に関する。
【背景技術】
【０００２】
高齢者等の一人暮らしが増えるのに伴い、高齢者等の在宅時に緊急事態が発生した場合に、センター装置に緊急通報を行う緊急通報システムが提案されている。この種の緊急通報システムは、高齢者等の使用者が在宅時に使用する端末機の連続待ち受け時間が所定時間を下回った場合に、充電要求のメッセージを発行する（例えば、特許文献１参照）。また、この種の緊急通報システムは、高齢者等の使用者が通報スイッチを押した場合で、端末機の電池の充電容量が閾値を下回っている場合に、充電要求のメッセージを発行する（例えば、特許文献２、３参照）。
【先行技術文献】
【特許文献】
【０００３】
【特許文献１】特開２００２−１９７５７４号公報
【特許文献２】特開２００２−１６５００１号公報
【特許文献３】特開２００２−１６５０３３号公報
【発明の概要】
【発明が解決しようとする課題】
【０００４】
しかしながら、自宅以外で使用可能な携帯端末において、使用者が携帯端末を所持して外出中に、携帯端末の電池の充電容量を検出する手法は提案されていない。
【０００５】
本件開示の監視装置、監視システムおよび監視方法は、使用者が携帯端末を所持して外出中においても携帯端末の電池の充電容量を監視し、外出時において携帯端末の電池の充電容量の残量が無くなることを抑制する技術を提供することを目的とする。
【課題を解決するための手段】
【０００６】
一つの観点によれば、監視装置は、携帯端末から送信される携帯端末の電池の充電容量を示す電池情報と、携帯端末の位置および位置の時間的な変化を示す位置情報とを受信する受信部と、電池情報に基づいて充電容量の残量が所定量以下であると判定したときに、位置情報を用いて携帯端末を所持する利用者の移動速度を算出する第１算出部と、第１算出部で算出された移動速度と、位置情報に含まれる携帯端末の位置とに基づいて、携帯端末を利用可能な状態で利用者が移動可能な範囲を算出する第２算出部と、第２算出部で算出された利用者が移動可能な範囲に存在する電池の充電器の場所を示す情報を抽出する抽出部と、抽出部により抽出された情報を携帯端末に送信する送信部とを有する。
【０００７】
別の観点によれば、監視システムは、携帯端末と、携帯端末の電池の充電容量の残量を監視する監視装置とを有し、監視装置は、携帯端末から送信される携帯端末の電池の充電容量を示す電池情報と、携帯端末の位置および位置の時間的な変化を示す位置情報とを受信する受信部と、電池情報に基づいて充電容量の残量が所定量以下であると判定したときに、位置情報を用いて携帯端末を所持する利用者の移動速度を算出する第１算出部と、第１算出部で算出された移動速度と、位置情報に含まれる携帯端末の位置とに基づいて、携帯端末を利用可能な状態で利用者が移動可能な範囲を算出する第２算出部と、第２算出部で算出された利用者が移動可能な範囲に存在する電池の充電器の場所を示す情報を抽出する抽出部と、抽出部により抽出された情報を携帯端末に送信する送信部とを有する。
【０００８】
別の観点によれば、監視方法は、携帯端末から送信される携帯端末の電池の充電容量を示す電池情報と、携帯端末の位置および位置の時間的な変化を示す位置情報とを受信し、電池情報に基づいて充電容量の残量が所定量以下であると判定したときに、位置情報を用いて携帯端末を所持する利用者の移動速度を算出し、算出された移動速度と、位置情報に含まれる携帯端末の位置とに基づいて、携帯端末を利用可能な状態で利用者が移動可能な範囲を算出し、算出された利用者が移動可能な範囲に存在する電池の充電器の場所を示す情報を抽出し、抽出された情報を携帯端末に送信する。
【発明の効果】
【０００９】
本件開示の監視装置、監視システムおよび監視方法は、使用者が携帯端末を所持して外出中においても携帯端末の電池の充電容量を監視し、外出時において携帯端末の電池の充電容量の残量が無くなることを抑制できる。
【図面の簡単な説明】
【００１０】
【図１】監視装置、監視システムおよび監視方法の一実施形態示す図である。
【図２】図１に示した監視システムの動作の概要を示す図である。
【図３】図１に示した携帯端末の利用開始処理と、監視装置の処理との例を示す図である。
【図４】図３に示した利用開始処理の完了後の携帯端末の動作の例を示す図である。
【図５】図４に示した携帯端末の割り込み処理の動作の例を示す図である。
【図６】図３に示した監視装置が実行するステップＳ２０４の処理により起動される携帯端末の電池の充電容量の監視動作の処理の例を示す図である。
【図７】図１に示した携帯端末の電池の放電特性の例を示す図である。
【図８】監視装置、監視システムおよび監視方法の別の実施形態を示す図である。
【図９】図８に示した携帯端末の利用開始処理と、監視装置の処理との例を示す図である。
【図１０】図９に示した利用開始処理の完了後の携帯端末の動作の例を示す図である。
【図１１】図９に示した監視装置が実行するステップＳ２０４の処理により起動される携帯端末の電池の充電容量の監視動作の処理の例を示す図である。
【図１２】監視装置、監視システムおよび監視方法の別の実施形態における携帯端末の動作の例を示す図である。
【図１３】図１２に示したステップＳ３１７Ａにより携帯端末が通知する情報を受ける監視装置の動作の例を示す図である。
【図１４】図１３に示したステップＳ５０４Ａにおいて監視装置が電池の劣化を検出する手法を示す図である。
【図１５】監視装置、監視システムおよび監視方法の別の実施形態における監視システムの動作の概要を示す図である。
【図１６】図１５に示した携帯端末の利用開始処理と、監視装置の処理との例を示す図である。
【発明を実施するための形態】
【００１１】
以下、図面を用いて実施形態を説明する。
【００１２】
図１は、監視装置、監視システムおよび監視方法の一実施形態示す。図１において、監視システム１００は、携帯端末１０２との間で通信可能なネットワーク１０３に接続された監視装置１０１を有する。例えば、監視装置１０１は、携帯端末１０２の通信を制御する通信センタ内に設置され、携帯端末１０２の電池１０２ｃの充電容量の残量を監視する機能を有する。なお、通信センタは、携帯端末１０２からの緊急通報を受信した場合に、携帯端末１０２の所有者の居所を管轄する役所や、所有者の親族等に通報を行う機能を有してもよい。
【００１３】
例えば、携帯端末１０２は、携帯電話用の通信回線であるネットワーク１０３に接続可能なスマートフォン、フィーチャーフォンあるいはタブレット端末である。なお、ネットワーク１０３は、携帯電話用の通信回線（無線ネットワーク）に加えて無線ＬＡＮ（Local Area Network）の環境を含むインターネット等のコンピュータネットワークを含んでもよい。
【００１４】
監視装置１０１は、制御部１０１ａと、受信部１０１ｂと、送信部１０１ｃと、記憶部１０１ｄとを有する。制御部１０１ａは、プロセッサ１０１ｅと、第１算出部１０１ｆと、第２算出部１０１ｇと、抽出部１０１ｈと、判定部１０１ｉとを有する。制御部１０１ａは、受信部１０１ｂおよび送信部１０１ｃの動作を制御し、記憶部１０１ｄにアクセスするとともに、監視装置１０１全体の動作を制御する機能を有する。
【００１５】
例えば、プロセッサ１０１ｅは、プログラムを実行することにより動作するＣＰＵ（Central Processing Unit）やＧＰＵ（Graphics Processing Unit）であり、監視装置１０１内の各要素の動作を制御する。第１算出部１０１ｆは、図６で説明するように、携帯端末１０２を所持する利用者の移動速度を算出する。第２算出部１０１ｇは、図２および図６で説明するように、第１算出部１０１ｆが算出した利用者の移動速度と携帯端末１０２の位置とに基づいて、携帯端末１０２を利用可能な状態で利用者が移動可能な範囲を算出する。抽出部１０１ｈは、第２算出部１０１ｇが算出した移動可能な範囲に存在する携帯端末１０２の充電器の場所を抽出する。判定部１０１ｉは、図６および図７で説明するように、携帯端末１０２の電池１０２ｃの充電容量の減少速度が、基準速度を超える場合に、電池の劣化を判定する。例えば、第１算出部１０１ｆと、第２算出部１０１ｇと、抽出部１０１ｈと、判定部１０１ｉとは、プロセッサ１０１ｅがプログラムを実行することにより実行されるが、ハードウェアで実現されてもよい。
【００１６】
例えば、制御部１０１ａは、サーバ等のコンピュータ装置であり、プロセッサ１０１ｅがプログラムを実行することにより、監視装置１０１全体の動作を制御する。制御部１０１ａの動作の例は、図３および図６に示す。
【００１７】
受信部１０１ｂは、制御部１０１ａによる制御に基づいて、携帯端末１０２から送信される各種の情報を受信する。例えば、携帯端末１０２から受信する情報は、携帯端末１０２の位置を示す位置情報、携帯端末１０２の電池容量の残量を示す電池情報、携帯端末１０２の充電状態を示す充電情報を含む。送信部１０１ｃは、制御部１０１ａによる制御に基づいて、携帯端末１０２に情報を送信する。例えば、携帯端末１０２に送信する情報は、携帯端末１０２のディスプレイ１０２ｅに表示させる地図の情報や、充電を促すアラームの出力を指示する情報を含む。
【００１８】
例えば、記憶部１０１ｄは、ＤＲＡＭ（Dynamic Random Access Memory）やＨＤＤ（Hard Disk Drive）であり、プロセッサ１０１ｅが実行するプログラムを記憶するとともに、図３および図６等に示す動作に必要な情報を記憶する。制御部１０１ａは、受信部１０１ｂによって受信された情報および受信された情報を処理することで得られる情報を記憶部１０１ｄに書き込む。また、制御部１０１ａは、記憶部１０１ｄに記憶された情報を処理することにより得られる情報を、送信部１０１ｃを介して携帯端末１０２に送信する。そして、制御部１０１ａは、携帯端末１０２を所持する利用者の移動経路等の情報を管理し、携帯端末１０２の電池容量の残量が所定量まで減った場合に、充電を促すアラームの指示とともに、充電器がある場所を示す情報を携帯端末１０２に通知する。
【００１９】
携帯端末１０２は、プロセッサ１０２ａと、無線通信部１０２ｂと、電池１０２ｃと、メモリ１０２ｄと、ディスプレイ１０２ｅと、スピーカ１０２ｆと、操作部１０２ｇとを有する。
【００２０】
携帯端末１０２は、プロセッサ１０２ａがプログラムを実行することにより、携帯端末１０２全体の動作を制御する。例えば、プロセッサ１０２ａは、プログラムを実行することにより動作するＣＰＵである。プロセッサ１０２ａは、無線通信部１０２ｂを介して、監視装置１０１との通信を行う。プロセッサ１０２ａは、プログラムを実行することにより、電池１０２ｃの充電容量の変化を監視し、監視装置１０１からの情報に応じて、ディスプレイ１０２ｅおよびスピーカ１０２ｆの少なくともいずれかを介してアラームを通知する。また、プロセッサ１０２ａは、携帯端末１０２の利用者が操作部１０２ｇを介して入力した情報をメモリ１０２ｄに記憶する。
【００２１】
無線通信部１０２ｂは、ネットワーク１０３への情報の送信処理およびネットワーク１０３からの情報の受信処理等の無線処理を実行する。例えば、電池１０２ｃは、充電可能なリチウムイオン電池である。例えば、メモリ１０２ｄは、ＤＲＡＭやフラッシュメモリであり、プロセッサ１０２ａが実行するプログラムを記憶するとともに、図３、図４および図５に示す動作に必要な情報を記憶する。例えば、ディスプレイ１０２ｅは、液晶ディスプレイであり、携帯端末１０２の操作をガイドする画面を表示し、あるいは、電池１０２ｃの充電容量の残量の不足を示すアラーム画面を表示する。スピーカ１０２ｆは、操作部１０２ｇの操作を知らせる操作音や、電池１０２ｃの充電容量の残量の不足を示すアラーム音あるいはアラーム音声を出力する。例えば、操作部１０２ｇは、数字やアルファベット等の入力キーおよび操作ボタン等を有しており、携帯端末１０２の通話時の電話番号の入力や図３に示す登録情報の入力に使用される。
【００２２】
また、例えば、携帯端末１０２は、ＧＰＳ（Global Positioning System）の受信機を有し、受信機で受信したＧＰＳ衛星からの信号に基づいて、携帯端末１０２の位置情報を取得する。なお、携帯端末１０２は、携帯電話の通信回線の基地局との間で通信される信号強度に応じて、携帯端末１０２の位置情報を取得してもよい。また、携帯端末１０２は、加速度センサを有してもよい。加速度センサを利用することで、ＧＰＳ衛星からの信号が途切れた場合にも、携帯端末１０２を所持する利用者の移動に伴い変化する位置情報を更新可能である。なお、携帯端末１０２の動作の例は、図３、図４および図５に示す。
【００２３】
図２は、図１に示した監視システム１００の動作の概要を示す。この例では、携帯端末１０２を所持する利用者は、黒丸で示すように、円Ｄ１、Ｄ２、Ｄ３の中心にいる。図２において、円Ｄ１、Ｄ２、Ｄ３は、携帯端末１０２の電池１０２ｃの充電容量が所定量まで減った場合に、携帯端末１０２を所持する利用者が、携帯端末１０２の電池１０２ｃの充電容量を空にすることなく移動可能な距離を、安全度別に示している。円Ｄ１は、充電容量を十分確保した状態で利用者が移動可能な距離を示している。円Ｄ２は、充電容量を空にすることなく利用者が移動可能な距離を示す。円Ｄ３は、利用者の移動中に充電容量が空になる可能性のある距離を示す。すなわち、円Ｄ２と円Ｄ３とで囲まれる環状の領域は、利用者の移動中に充電容量が空になる可能性のある領域を示す。以下の説明では、携帯端末１０２を所持する利用者は、単に利用者とも称される。
【００２４】
図２（ａ）は、利用者の移動速度が図２（ｂ）に比べて高い場合を示す。このため、図２（ａ）では、利用者が移動可能な距離は、図２（ｂ）に比べて長く、円Ｄ１、Ｄ２、Ｄ３の大きさは、図２（ｂ）に比べてそれぞれ大きい。利用者の移動速度は、携帯端末１０２から所定の頻度で受信する利用者の位置情報に基づいて監視装置１０１により算出される。円Ｄ１、Ｄ２、Ｄ３の大きさは、携帯端末１０２の電池１０２ｃの充電容量が所定量まで減ったことを検出した場合に、利用者の移動速度を示す情報を用いて監視装置１０１により算出される。例えば、監視装置１０１は、電池１０２ｃの充電容量が満充電状態の３分の１まで減った場合に、円Ｄ１、Ｄ２、Ｄ３の大きさを算出する。
【００２５】
図２に二重丸で示す携帯端末１０２の利用者の自宅１０４の位置は、監視装置１０１に予め登録されている。自宅１０４には、携帯端末１０２の充電器が設置されているとする。また、監視装置１０１は、図２（ａ）および図２（ｂ）に三角印で示す携帯端末１０２の充電器が設置された施設１０５（１０５ａ、１０５ｂ、１０５ｃ、１０５ｄ）の位置を、他のシステムの地図情報等から予め取得する。
【００２６】
監視装置１０１は、携帯端末１０２から受信する情報に基づいて、携帯端末１０２の電池１０２ｃの充電容量が所定量まで減ったことを検出した場合に、利用者の移動速度を示す情報を利用して、円Ｄ１、Ｄ２、Ｄ３の大きさを算出する。そして、監視装置１０１は、充電を促すアラーム画面を携帯端末１０２のディスプレイに表示し、あるいは、充電を促すアラーム音やアラーム音声を携帯端末１０２のスピーカ１０２ｆから出力するための情報を携帯端末１０２に送信する。また、監視装置１０１は、例えば、携帯端末１０２の充電器が設置された場所（三角印および二重丸）と円Ｄ１、Ｄ２、Ｄ３とを携帯端末１０２のディスプレイ１０２ｅに表示される地図上に示すための情報を携帯端末１０２に送信する。この際、図２に示すように監視装置１０１は、円Ｄ２の内側の領域と外側の領域とにおいて、充電器が設置された場所を区別可能に携帯端末１０２のディスプレイ１０２ｅに表示してもよい（この例では、実線と破線で区別）。
【００２７】
例えば、利用者の移動速度が高いほど、電池１０２ｃの充電容量の残量がなくなる前に利用者が到達可能な距離は長く、監視装置１０１により算出される円Ｄ１、Ｄ２、Ｄ３の各々に含まれる地図上の面積は、大きくなる。図２（ａ）に示す例では、施設１０５ｄを除く施設１０５ａ、１０５ｂ、１０５ｃおよび自宅１０４は、円Ｄ２の内側に位置する。この場合、監視装置１０１は、施設１０５ａ、１０５ｂ、１０５ｃおよび自宅１０４を実線で表示し、施設１０５ｄを破線で表示する指示を携帯端末１０２に送信する。
【００２８】
一方、利用者の移動速度が低いほど、電池１０２ｃの充電容量の残量がなくなる前に利用者が到達可能な距離は短く、監視装置１０１により算出される円Ｄ１、Ｄ２、Ｄ３の各々に含まれる地図上の面積は、小さくなる。図２（ｂ）に示す例では、施設１０５ｂ、１０５ｄおよび自宅１０４は、円Ｄ２の外側に位置し、施設１０５ａおよび１０５ｃは、地図上の円Ｄ２の内側に位置する。この場合監視装置１０１は、施設１０５ａおよび１０５ｃを実線で表示し、施設１０５ｂ、１０５ｄおよび自宅１０４を破線で表示する指示を携帯端末１０２に送信する。なお、監視装置１０１は、円Ｄ２より外側の領域に設置された充電器の地図上への表示を禁止してもよい。
【００２９】
利用者は、充電を促すアラームおよび携帯端末１０２のディスプレイ１０２ｅ上の地図に表示された円Ｄ２に基づいて、充電器が設置された場所（図２（ｂ）では、施設１０５ａ、１０５ｃ）に移動し、携帯端末１０２の電池１０２ｃを充電する。
【００３０】
なお、監視装置１０１は、登り坂や階段では移動可能な距離を短く設定し、下り坂では移動可能な距離を長く設定してもよい。この場合、監視装置１０１は、移動可能な距離を示す円Ｄ１、Ｄ２、Ｄ３の代わりに、移動可能な距離を示す楕円や多角形を、地図とともに携帯端末１０２のディスプレイ１０２ｅに表示してもよい。また、監視装置１０１は、地図上の道路や地形などに沿って移動可能な距離の設定を変えて、地図とともに携帯端末１０２のディスプレイ１０２ｅに表示してもよい。例えば、監視装置１０１は、移動可能な距離を示す楕円や多角形などの形状を、道路などに沿って長く、山林などに沿って短く変形して、地図とともに携帯端末１０２のディスプレイ１０２ｅに表示してもよい。
【００３１】
図３は、図１に示した携帯端末１０２の利用開始処理と、監視装置１０１の処理との例を示す。図３において、ステップＳ１０１−Ｓ１０３は、携帯端末１０２の初期設定動作を示し、ステップＳ２０１−Ｓ２０４は、監視装置１０１の利用者登録動作を示す。図３において、携帯端末１０２の初期設定動作は、利用者が携帯端末１０２に図２に示した動作を実現するアプリケーションプログラムをダウンロードし、ダウンロードしたアプリケーションプログラムが最初に起動されるときに開始される。すなわち、ステップＳ１０１−Ｓ１０３は、携帯端末１０２に内蔵されるプロセッサ１０２ａがアプリケーションプログラムを最初に実行することにより実現される。
【００３２】
ステップＳ１０１において、携帯端末１０２は、利用者により入力された利用者登録の情報である利用者登録情報を受け付ける。利用者登録情報は、携帯端末１０２の機種、利用者の自宅１０４の住所、携帯端末１０２の利用を開始した日等を含む。例えば、携帯端末１０２は、携帯端末１０２の利用を開始した日を、携帯端末１０２の電池１０２ｃの使用を開始した日として扱う。なお、携帯端末１０２の電池１０２ｃが交換された後、アプリケーションプログラムが最初に起動されるときにも、携帯端末１０２は、ステップＳ１０１−Ｓ１０３を実行する。この場合、携帯端末１０２は、電池１０２ｃが交換された日を携帯端末１０２の電池１０２ｃの使用を開始した日として扱う。
【００３３】
次に、ステップＳ１０２において、携帯端末１０２は、ステップＳ１０１で利用者により入力された利用者登録情報を、無線通信部１０２ｂを介して監視装置１０１に送信する。
【００３４】
次に、ステップＳ１０３において、携帯端末１０２は、利用者登録情報の送信に応答して、監視装置１０１から利用者登録情報の登録完了通知を受信したか否かを判定する。携帯端末１０２は、監視装置１０１からの利用者登録情報の登録完了通知を受信したと判定した場合、利用開始処理を終了する。携帯端末１０２は、監視装置１０１からの利用者登録情報の登録完了通知を受信するまでステップＳ１０３の処理を繰り返し、監視装置１０１からの利用者登録情報の登録完了通知を受信した場合に、利用開始処理を終了する。以降、携帯端末１０２の利用者が図２に示した動作を実現するアプリケーションプログラムを起動した場合、携帯端末１０２は、図４に示す処理を実行する。なお、携帯端末１０２は、ステップＳ１０３において利用開始処理を終了した後、図４に示す処理を自動的に起動してもよい。
【００３５】
一方、ステップＳ２０１において、監視装置１０１は、携帯端末１０２からの利用者登録情報を、受信部１０１ｂを介して受信する。なお、ステップＳ２０１−Ｓ２０４の処理は、制御部１０１ａに内蔵されるプロセッサ１０１ｅがプログラムを実行することにより実現される。
【００３６】
次に、ステップＳ２０２において、制御部１０１ａは、取得した利用者登録情報を、記憶部１０１ｄに割り当てられた利用者登録情報の格納領域に書き込むことで登録する。
【００３７】
次に、ステップＳ２０３において、監視装置１０１は、携帯端末１０２に利用者登録情報の登録完了通知を送信する。ステップＳ２０３の処理により、利用者登録の処理は完了する。
【００３８】
次に、ステップＳ２０４において、監視装置１０１は、利用者登録の処理の完了後、図６に示す携帯端末１０２の電池１０２ｃの充電容量の監視動作の処理ルーチンを起動する。電池１０２ｃの充電容量の監視動作の処理ルーチンの例は、図６に示す。
【００３９】
図４は、図３に示した利用開始処理の完了後の携帯端末１０２の動作の例を示す。例えば、携帯端末１０２は、図２に示した動作を実現するアプリケーションプログラムが利用者により起動されたことに基づいて図４の処理を開始する。例えば、図４に示す処理は、携帯端末１０２に内蔵されるプロセッサ１０２ａがプログラムを実行することで実現される。
【００４０】
ステップＳ３０１において、携帯端末１０２は、電池１０２ｃが充電中か否かを判定する。携帯端末１０２は、電池１０２ｃが充電中であると判定した場合、処理をステップＳ３０９に移行する。一方、携帯端末１０２は、電池１０２ｃが充電中ではないと判定した場合、処理をステップＳ３０２に移行する。
【００４１】
ステップＳ３０２において、携帯端末１０２は、内蔵するＧＰＳの受信機を動作させて携帯端末１０２の現在位置を示す位置情報を取得する。なお、位置情報は、携帯電話回線の基地局等から取得してもよい。
【００４２】
次に、ステップＳ３０３において、携帯端末１０２は、携帯端末１０２が利用者の自宅１０４にあるか否かを判定することで、利用者が外出中か否かを判定する。例えば、外出中か否かは、ステップＳ３０２で取得した位置情報が、ステップＳ１０１で登録された利用者の自宅１０４の住所により示される位置から所定の範囲内にあるか否かによって判定される。携帯端末１０２は、利用者が外出中であると判定した場合、処理をステップＳ３０４に移行する。一方、携帯端末１０２は、利用者が自宅１０４にいると判定した場合、処理をステップＳ３１２に移行する。
【００４３】
ステップＳ３０４において、携帯端末１０２は、携帯端末１０２の位置情報を取得する。取得した位置情報は、携帯端末１０２に内蔵されるメモリ１０２ｄに蓄積される。
【００４４】
次に、ステップＳ３０５において、携帯端末１０２は、位置情報がメモリ１０２ｄに、例えば１０回分蓄積されたか否かを判定する。携帯端末１０２は、取得した位置情報が１０回分蓄積されたと判定した場合、処理をステップＳ３０６に移行する。一方、携帯端末１０２は、取得した位置情報が１０回分蓄積されていないと判定した場合、処理をステップＳ３０４に移行する。
【００４５】
携帯端末１０２は、ステップＳ３０４、Ｓ３０５のループを所定時間毎（例えば、１分毎）に繰り返す。これにより、位置情報は、所定時間の経過毎に取得される。なお、ここでは一例として携帯端末１０２は位置情報を１０回分蓄積するが、蓄積回数は、１０回に限らなくてもよい。なお、図６で説明するように、監視装置１０１は、複数回蓄積された位置情報を用いて、利用者の移動速度や移動距離を計算する。
【００４６】
ステップＳ３０６において、携帯端末１０２は、蓄積された位置情報を、無線通信部１０２ｂを介して監視装置１０１に通知する。なお、携帯端末１０２は、１０回分蓄積した位置情報を監視装置１０１に通知することで、携帯端末１０２と監視装置１０１との通信回数を減らすことができ、携帯端末１０２の電池１０２ｃの充電容量の減少を抑制できる。
【００４７】
次に、ステップＳ３０７において、携帯端末１０２は、電池１０２ｃの充電容量の残量を取得する。
【００４８】
次に、ステップＳ３０８において、携帯端末１０２は、ステップＳ３０７で取得した電池１０２ｃの充電容量の残量を、無線通信部１０２ｂを介して監視装置１０１に通知する。なお、上述したステップＳ３０６による位置情報の監視装置１０１への通知は、ステップＳ３０８で行われてもよい。この場合、携帯端末１０２と監視装置１０１との通信回数を減らすことができ、携帯端末１０２の電池１０２ｃの充電容量の減少を抑制できる。
【００４９】
次に、ステップＳ３０９において、携帯端末１０２は、携帯端末１０２の充電状態が変化したか否かを判定する。ここで、充電状態の変化は、携帯端末１０２の充電状態から非充電状態への変化および携帯端末１０２の非充電状態から充電状態への変化のいずれかである。携帯端末１０２は、携帯端末１０２の充電状態が変化したと判定した場合、処理をステップＳ３１０に移行する。一方、携帯端末１０２は、携帯端末１０２の充電状態が変化していないと判定した場合、すなわち、充電状態が維持されているか、非充電状態が維持されている場合、処理をステップＳ３１１に移行する。
【００５０】
ステップＳ３１０において、携帯端末１０２は、携帯端末１０２の充電状態の変化を示す情報を、無線通信部１０２ｂを介して監視装置１０１に通知する。
【００５１】
ステップＳ３１１において、携帯端末１０２は、操作部１０２ｇを介して利用者による終了操作を受け付けたか否かを判定する。終了操作は、携帯端末１０２の電源のオフ操作やアプリケーションプログラムの終了操作等である。携帯端末１０２は、利用者による終了操作を受け付けたと判定した場合、アプリケーションプログラムの実行処理を終了し、アプリケーションプログラムの実行処理を終了したことを示す情報を、無線通信部１０２ｂを介して監視装置１０１に通知する。一方、携帯端末１０２は、利用者による終了処理を受け付けていないと判定した場合、処理をステップＳ３０１に移行し、上記処理を繰り返す。
【００５２】
一方、利用者が外出中ではない場合、ステップＳ３１２において、携帯端末１０２は、携帯端末１０２の電池１０２ｃの充電容量の残量を取得する。ステップＳ３１２の処理は、ステップＳ３０７の処理と同様である。
【００５３】
次に、ステップＳ３１３において、携帯端末１０２は、ステップＳ３１２で取得した情報に基づいて、携帯端末１０２の電池１０２ｃの充電容量の残量が所定量まで減ったか否かを判定する。携帯端末１０２は、充電容量の残量が所定量まで減ったと判定した場合、処理をステップＳ３１４に移行し、充電容量の残量が所定量まで減っていないと判定した場合、処理をステップＳ３１５に移行する。例えば、所定量は、満充電状態の３分の１である。
【００５４】
ステップＳ３１４において、携帯端末１０２は、ディスプレイ１０２ｅへのアラーム画面の表示やスピーカ１０２ｆから音声やアラーム音を出力することにより、利用者に対して充電を促すアラームを通知する。自宅１０４でアラームを認識した利用者は、自宅１０４にある充電器に携帯端末１０２を接続し、電池１０２ｃを充電する。利用者が自宅１０４にいる場合、携帯端末１０２と監視装置１０１との間で通信を行うことなく、利用者に携帯端末１０２の電池１０２ｃの充電を促すことができるため、携帯端末１０２の電池１０２ｃの使用量を抑制できる。ステップＳ３１４の処理の後、処理はステップＳ３０９に移行する。
【００５５】
一方、ステップＳ３１５において、携帯端末１０２は、現在時刻が例えば深夜であるか否かを判定する。例えば、深夜は午前３時である。深夜か否かの判定は、一例として、携帯端末１０２に内蔵されている時計が計時する時刻を基に行う。なお、ステップＳ３１５の判定は、２日ごとあるいは３日ごとに行ってもよい。携帯端末１０２は、現在時刻が深夜であると判定した場合、処理をステップＳ３１６に移行する。一方、携帯端末１０２は、現在時刻が深夜ではないと判定した場合、処理をステップＳ３０９に移行する。
【００５６】
次に、ステップＳ３１６において、携帯端末１０２は、携帯端末１０２の電池１０２ｃの充電容量の残量を、時間間隔（例えば、３０分）を置いて２回取得する。
【００５７】
次に、ステップＳ３１７において、携帯端末１０２は、２回取得した電池１０２ｃの充電容量の残量の変化量を、無線通信部１０２ｂを介して監視装置１０１に通知する。図６で説明するように、監視装置１０１は、携帯端末１０２からの通知に基づいて、電池１０２ｃの劣化の程度を判定する。ステップＳ３１７の処理の後、処理はステップＳ３０９に移行する。
【００５８】
この例では、携帯端末１０２が充電容量の残量の取得を、利用者が携帯端末１０２を使用しない確率が昼間より高い深夜に行うことで、携帯端末１０２のスタンバイ状態での電池１０２ｃの劣化が検出可能になる。スタンバイ状態中に電池１０２ｃの充電容量の残量の変化量を検出することで、携帯端末１０２が利用者により使用されている最中に充電容量の残量の変化量を検出する場合に比べて、電池１０２ｃの劣化を検出しやすくなる。これは、利用者による携帯端末１０２の使用に伴う電力の消費量が、充電容量の残量の変化量に含まれないためである。
【００５９】
ここで、携帯端末１０２は、深夜以外のスタンバイ状態においても、図４に示した処理のうち、少なくともステップＳ３１５−Ｓ３１７を実行してもよい。スタンバイ状態であるか否かの判定は、例えば、プロセッサ１０２ａの使用率を基に行う。一例として、携帯端末１０２は、携帯端末１０２のプロセッサ１０２ａの使用率が１０％以下であるか否かを基準に携帯端末１０２がスタンバイ状態であるか否かを判定する。深夜以外のスタンバイ状態においても、電池１０２ｃの充電容量の残量の変化量を検出することで、例えば、深夜に使用されることの多い携帯端末１０２においても、スタンバイ状態での電池１０２ｃの劣化が検出可能になる。
【００６０】
なお、携帯端末１０２の電池１０２ｃの劣化を検出しない場合、ステップＳ３１５、Ｓ３１６、Ｓ３１７の処理は省略される。また、携帯端末１０２が自宅１０４にあるときに、電池１０２ｃの充電不足によるアラームを発生しない場合、ステップＳ３１２、Ｓ３１３、Ｓ３１４の処理は省略される。
【００６１】
図５は、図４に示した携帯端末１０２の割り込み処理の動作の例を示す。携帯端末１０２は、監視装置１０１からのアラームに関する情報を受信した場合に、図４に示す処理とは別に、図５に示す割り込み処理の動作を開始する。監視装置１０１が携帯端末１０２に送信するアラームに関する情報は、図６で説明する。
【００６２】
例えば、携帯端末１０２は、監視装置１０１から送信される、電池１０２ｃの充電を促すアラームの発行を示す情報、充電可能な場所を示す情報、または電池１０２ｃの劣化を示すアラームの発行を示す情報を受信した場合に、割り込み動作の処理を開始する。図５に示す割り込み処理は、例えば、携帯端末１０２に内蔵されるプロセッサ１０２ａがプログラムを実行することで実現される。
【００６３】
ステップＳ４０１において、携帯端末１０２は、監視装置１０１から電池１０２ｃの充電を促すアラームの発行を示す情報を受信したか否か判定する。携帯端末１０２は、監視装置１０１から電池１０２ｃの充電を促すアラームの発行を示す情報を受信したと判定した場合、処理をステップＳ４０２に移行する。一方、携帯端末１０２は、監視装置１０１から電池１０２ｃの充電を促すアラームの発行を示す情報を受信していないと判定した場合、処理をステップＳ４０３に移行する。
【００６４】
ステップＳ４０２において、携帯端末１０２は、内蔵するディスプレイ１０２ｅに充電を促すアラームを表示し、または、内蔵するスピーカ１０２ｆから充電を促すアラーム音や音声を出力し、あるいは、アラームの表示とアラーム音等の出力を両方行う。
【００６５】
このように、本実施形態では、利用者が携帯端末１０２を所持して外出中に電池１０２ｃの充電容量の残量が不足したときに、携帯端末１０２は、監視装置１０１からの情報の受信に基づいて充電を促すアラームを表示する。利用者は、アラームに基づいて、自宅１０４や最寄りの施設１０５の充電器で携帯端末１０２を充電できるため、利用者の外出時においても携帯端末１０２の電池１０２ｃの充電容量の残量が無くなることを抑制できる。
【００６６】
一方、ステップＳ４０３において、携帯端末１０２は、監視装置１０１から送信される充電器のある場所を示す情報と、携帯端末１０２のディスプレイ１０２ｅに表示する円Ｄ１、Ｄ２、Ｄ３の大きさを示す情報とを受信したか否か判定する。携帯端末１０２は、充電器のある場所を示す情報と、ディスプレイ１０２ｅに表示する円Ｄ１、Ｄ２、Ｄ３の大きさを示す情報とを受信したと判定した場合、処理をステップＳ４０４に移行する。一方、携帯端末１０２は、充電器のある場所を示す情報と、携帯端末１０２のディスプレイ１０２ｅに表示する円Ｄ１、Ｄ２、Ｄ３の大きさを示す情報とを受信していないと判定した場合、処理をステップＳ４０５に移行する。
【００６７】
ステップＳ４０４において、携帯端末１０２は、充電器のある場所を示す情報と、円Ｄ１、Ｄ２、Ｄ３の大きさを示す情報の受信に基づいて、ディスプレイ１０２ｅに、利用者の現在地を示す地図と、充電器のある場所と、円Ｄ１、Ｄ２、Ｄ３とを表示する。ステップＳ４０４の後、処理は、ステップＳ４０５に移行する。一例として、携帯端末１０２は、ステップＳ４０２における充電を促すアラームとともに、図２に示すように、利用者の現在地を含む地図と、円Ｄ２の内側の領域で充電器が設置された場所と、円Ｄ１−Ｄ３とをディスプレイ１０２ｅに表示する。
【００６８】
このように、本実施形態では、利用者は、監視装置１０１から受信する利用者の現在位置と利用者の移動速度に基づいて充電可能な場所を把握することができる。このため、利用者は、外出時においても携帯端末１０２の電池１０２ｃの充電容量の残量が無くなる前に、電池１０２ｃを充電できる。
【００６９】
一方、ステップＳ４０５において、携帯端末１０２は、監視装置１０１から電池１０２ｃの劣化を示すアラームの発行を示す情報を受信したか否か判定する。携帯端末１０２は、監視装置１０１から電池１０２ｃの劣化を示すアラームの発行を示す情報を受信したと判定した場合、処理をステップＳ４０６に移行する。一方、携帯端末１０２は、監視装置１０１から電池１０２ｃの劣化を示すアラームの発行を示す情報を受信していないと判定した場合、処理を終了する。
【００７０】
ステップＳ４０６において、携帯端末１０２は、アラームの発行を示す情報の受信に基づいて、ディスプレイ１０２ｅに電池１０２ｃの交換を促すアラームを表示し、または、スピーカ１０２ｆから電池１０２ｃの交換を促すアラーム音や音声を出力する。あるいは、携帯端末１０２は、アラームの発行を示す情報の受信に基づいて、アラームの表示とアラーム音等の出力を両方行う。ステップＳ４０６の後、割り込み処理は終了する。
【００７１】
このように、本実施形態では、携帯端末１０２の電池１０２ｃが劣化したとき、携帯端末１０２は、監視装置１０１からの情報の受信に基づいて電池１０２ｃの交換を促すアラームを表示する。このため、電池１０２ｃの劣化により充電容量の残量が無くなる可能性を従来に比べて減らすことができる。
【００７２】
図６は、図３に示した監視装置１０１が実行するステップＳ２０４の処理により起動される携帯端末１０２の電池１０２ｃの充電容量の監視動作の処理の例を示す。図６に示す処理は、監視装置１０１の制御部１０１ａに内蔵されるプロセッサ１０１ｅがプログラムを実行することにより実現される。
【００７３】
ステップＳ５０１において、制御部１０１ａは、図３に示したステップＳ２０２の処理で記憶部１０１ｄに登録した利用者登録情報を記憶部１０１ｄから読み出す。
【００７４】
次に、ステップＳ５０２において、制御部１０１ａは、携帯端末１０２から各種情報を受信したか否かを判定する。例えば、携帯端末１０２の各種情報は、図４に示したステップＳ３０６、Ｓ３０８、Ｓ３１０およびＳ３１７により携帯端末１０２から送信される情報のいずれかを含む。すなわち、例えば、携帯端末１０２の各種情報は、携帯端末１０２の位置情報、電池１０２ｃの充電容量の残量、充電状態の変化および電池１０２ｃの充電容量の変化量を示す情報のいずれかを含む。制御部１０１ａは、携帯端末１０２からの各種情報を受信した場合に、例えば、受信した情報を記憶部１０１ｄに記憶する。
【００７５】
ステップＳ５０３において、制御部１０１ａは、記憶部１０１ｄに記憶された利用者登録情報に含まれる携帯端末１０２の利用を開始した日を基準にして、携帯端末１０２の電池１０２ｃが利用開始から２年以上経過しているか否かを判定する。制御部１０１ａは、携帯端末１０２の電池１０２ｃが利用開始から２年以上経過していると判定した場合、処理をステップＳ５１４に移行する。一方、制御部１０１ａは、携帯端末１０２の電池１０２ｃが利用開始から２年以上経過していないと判定した場合、処理をステップＳ５０４に移行する。
【００７６】
なお、後述するステップＳ５１４では、制御部１０１ａは、電池１０２ｃの交換を促すアラームの発行を示す情報を携帯端末１０２に送信する。しかし、電池１０２ｃの交換を促すアラームがステップＳ５０３で肯定判定（Ｙｅｓ）する毎に発生すると、携帯端末１０２の利用者は、迷惑に感じる恐れがある。携帯端末１０２は、電池１０２ｃの劣化の検出後も使用可能なため、ステップＳ５０３の判定は、例えば、１週間ごとあるいは数週間ごとに行ってもよい。
【００７７】
ステップＳ５０４において、制御部１０１ａは、記憶部１０１ｄに記憶された電池１０２ｃの充電容量の変化量（減少量）を示す情報に基づいて、携帯端末１０２の電池１０２ｃが劣化したか否かを判定する。すなわち、制御部１０１ａは、図４に示したステップＳ３１７により携帯端末１０２から通知される電池１０２ｃの充電容量の変化量が、予め設定された基準値よりも大きい場合に、電池１０２ｃの劣化を検出する。ここで、充電容量の変化量は、図４に示したステップＳ３１６において携帯端末１０２が例えば３０分間隔で取得した充電容量の残量の減少量であり、充電容量の残量の減少速度を示す。すなわち、監視装置１０１は、電池１０２ｃの充電容量の減少速度が、所定の閾値である基準の減少速度より早い場合に電池１０２ｃの劣化を検出する。
【００７８】
制御部１０１ａは、電池１０２ｃの劣化を検出した場合、処理をステップＳ５１４に移行する。一方、制御部１０１ａは、電池１０２ｃが劣化していない場合、処理をステップＳ５０５に移行する。なお、電池１０２ｃの充電容量の変化量の情報が記憶部１０１ｄに記憶されていない場合、制御部１０１ａは、ステップＳ５０５の処理で否定判定（Ｎｏ）する。また、制御部１０１ａは、ステップＳ５０２において、電池１０２ｃの充電容量の変化量を示す情報を受けていない場合、ステップＳ５０４の処理で否定判定（Ｎｏ）してもよい。電池１０２ｃの劣化の判定に用いる閾値は、図７で説明する。
【００７９】
なお、ステップＳ５０３の説明と同様に、電池１０２ｃの交換を促すアラームがステップＳ５０３で肯定判定（Ｙｅｓ）する毎（例えば、毎日）に発生すると、携帯端末１０２の利用者は、迷惑に感じる恐れがある。このため、ステップＳ５０４の判定は、例えば、１週間ごとあるいは数週間ごとに行ってもよい。
【００８０】
ステップＳ５０５において、制御部１０１ａは、記憶部１０１ｄに記憶された携帯端末１０２の充電状態の変化を示す情報に基づいて、携帯端末１０２が充電中であるか否かを判定する。すなわち、制御部１０１ａは、図４に示したステップＳ３１０により携帯端末１０２から通知される電池１０２ｃの充電状態の通知に基づいて、携帯端末１０２が充電中であると判定した場合、処理をステップＳ５１３に移行する。一方、制御部１０１ａは、携帯端末１０２が充電中でないと判定した場合、処理をステップＳ５０６に移行する。なお、充電状態の変化を示す情報が記憶部１０１ｄに記憶されていない場合、制御部１０１ａは、ステップＳ５０５の処理で肯定判定（Ｙｅｓ）する。また、制御部１０１ａは、ステップＳ５０２において、電池１０２ｃの充電状態の通知を受けていない場合、ステップＳ５０５の処理で肯定判定（Ｙｅｓ）してもよい。
【００８１】
ステップＳ５０６において、制御部１０１ａは、記憶部１０１ｄに記憶された携帯端末１０２の位置情報を示す情報に基づいて、利用者が外出中であるか否かを判定する。すなわち、制御部１０１ａは、図４に示したステップＳ３０６により携帯端末１０２から通知される携帯端末１０２の位置情報に基づいて、利用者が外出中であると判定した場合、処理をステップＳ５０７に移行する。一方、制御部１０１ａは、利用者が外出中ではないと判定した場合、処理をステップＳ５１３に移行する。なお、携帯端末１０２の位置情報を示す情報が記憶部１０１ｄに記憶されていない場合、制御部１０１ａは、ステップＳ５０６の処理で否定判定（Ｎｏ）する。また、制御部１０１ａは、ステップＳ５０２において、携帯端末１０２の位置情報の通知を受けていない場合、ステップＳ５０６の処理で否定判定（Ｎｏ）してもよい。
【００８２】
ステップＳ５０７において、制御部１０１ａは、記憶部１０１ｄに記憶された電池１０２ｃの充電容量の残量を示す情報に基づいて、携帯端末１０２の電池１０２ｃの充電容量が十分か否かを判定する。すなわち、制御部１０１は、図４に示したステップＳ３０８により携帯端末１０２から通知される電池１０２ｃの充電容量の残量に基づいて、充電容量が十分か否かを判定する。制御部１０１ａは、例えば、電池１０２ｃの充電容量が１／３以上の場合、電池１０２ｃの充電容量が十分であると判定し、処理をステップＳ５１３に移行する。一方、制御部１０１ａは、例えば、電池１０２ｃの充電容量が１／３に満たない場合、処理をステップＳ５０８に移行する。なお、電池１０２ｃの充電容量を示す情報が記憶部１０１ｄに記憶されていない場合、制御部１０１ａは、ステップＳ５０７の処理で否定判定（Ｎｏ）する。また、制御部１０１ａは、ステップＳ５０２において、電池１０２ｃの充電容量の通知を受けていない場合、ステップＳ５０７の処理で否定判定（Ｎｏ）してもよい。
【００８３】
ステップＳ５０８において、制御部１０１ａは、記憶部１０１ｄに記憶された携帯端末１０２の位置情報に基づいて、単位時間当たりに利用者が移動した距離を計算し、利用者の移動速度を求める。例えば、制御部１０１ａは、図４に示したステップＳ３０６の処理に基づいて携帯端末１０２から受信する連続する１０回分の位置情報を記憶部１０１ｄから読み出して、利用者が移動した距離を１０分毎に計算し、利用者の移動速度を求める。なお、監視装置１０１は、地理情報システム（ＧＩＳ：Geographic Information System）を利用して、携帯端末１０２の位置情報と地理的な位置情報とを用いて、利用者の移動速度を求めてもよい。
【００８４】
次に、ステップＳ５０９において、制御部１０１ａは、記憶部１０１ｄに記憶された電池１０２ｃの充電容量の残量を示す情報と、ステップＳ５０８の処理で求めた利用者の移動速度とに基づいて、携帯端末１０２を利用可能な状態で利用者が移動可能な距離（範囲）を計算する。すなわち、制御部１０１ａは、携帯端末１０２の電池１０２ｃの充電容量をゼロにすることなく利用者が移動可能な距離（範囲）を計算する。図２に示したように、利用者が移動可能な範囲、すなわち、円Ｄ１、Ｄ２、Ｄ３の大きさは、利用者の移動速度に応じて変化する。なお、制御部１０１ａは、携帯端末１０２の電池１０２ｃの充電容量を緊急通報が可能な残量だけ残して利用者が移動可能な距離（範囲）を計算してもよい。
【００８５】
次に、ステップＳ５１０において、制御部１０１ａは、例えば、携帯端末１０２の通信を制御する通信センタ内の地図データベースを検索して、利用者の現在の位置から所定の範囲内において、携帯端末１０２の充電器のある場所を特定する。また、利用者登録情報に含まれる利用者の自宅１０４の位置（住所）が、利用者の現在の位置から所定の範囲内に含まれる場合、制御部１０１ａは、利用者の自宅１０４にある充電器も特定した充電器に含める。
【００８６】
例えば、制御部１０１ａは、図２に示した円Ｄ３の範囲内にある充電器の場所を特定してもよく、円Ｄ３を所定の距離だけ外側に拡張した領域内にある充電器の場所を特定してもよい。
【００８７】
次に、ステップＳ５１１において、制御部１０１ａは、充電を促すアラームの発行を示す情報を携帯端末１０２に送信する。なお、携帯端末１０２は、図５のステップＳ４０２で説明したように、アラームの発行を示す情報の受信に基づいて、内蔵するディスプレイ１０２ｅに充電を促すアラームを表示し、または内蔵するスピーカから充電を促すアラーム音や音声を出力する。あるいは、携帯端末１０２は、図５のステップＳ４０２で説明したように、アラームの表示とアラーム音等の出力とを両方行う。
【００８８】
次に、ステップＳ５１２において、制御部１０１ａは、携帯端末１０２にステップＳ５１０で特定した充電器のある場所を示す情報と、携帯端末１０２のディスプレイ１０２ｅに表示する円Ｄ１、Ｄ２、Ｄ３の大きさを示す情報とを送信する。なお、携帯端末１０２は、図５のステップＳ４０４で説明したように、充電器のある場所を示す情報と、円Ｄ１−Ｄ３の大きさを示す情報とに基づいて、ディスプレイ１０２ｅに、利用者の現在地を含む地図と、充電器のある場所と、円Ｄ１−Ｄ３とを表示する。
【００８９】
一例として、携帯端末１０２は、充電を促すアラームとともに、図２に示したように、利用者の現在地を含む地図と、円Ｄ２の内側の領域で充電器が設置された場所と、円Ｄ１−Ｄ３とをディスプレイ１０２ｅに表示する。
【００９０】
なお、ステップＳ５１１、Ｓ５１２による携帯端末１０２への送信処理は、まとめて行われてもよい。この場合、携帯端末１０２と監視装置１０１との通信回数を減らすことができ、携帯端末１０２の電池１０２ｃの充電容量の減少を抑制できる。
【００９１】
次に、ステップＳ５１３において、制御部１０１ａは、携帯端末１０２からの通知に基づいて、携帯端末１０２のアプリケーションプログラムの終了または携帯端末１０２の電源のオフ操作が行われたか否かを判定する。すなわち、制御部１０１ａは、図４に示したステップＳ３１１により、利用者による携帯端末１０２の終了操作が行われたか否かを判定する。制御部１０１ａは、携帯端末１０２の終了操作が行われたと判定した場合、監視動作の処理を終了する。一方、制御部１０１ａは、携帯端末１０２の終了操作が行われていないと判定した場合、処理をステップＳ５０１に移行し、上記処理を繰り返す。
【００９２】
一方、ステップＳ５１４において、制御部１０１ａは、携帯端末１０２の電池１０２ｃの劣化を示すアラームの発行を示す情報を携帯端末１０２に送信する。なお、携帯端末１０２は、図５のステップＳ４０６で説明したように、アラームの発行を示す情報の受信に基づいて、ディスプレイ１０２ｅに電池１０２ｃの交換を促すアラームを表示し、又は、内蔵するスピーカから充電の買い替えを促すアラーム音や音声を出力する。あるいは、携帯端末１０２は、図５のステップＳ４０６で説明したように、アラームの表示とアラーム音等の出力とを両方行う。
【００９３】
図７は、図１に示した携帯端末１０２の電池１０２ｃの放電特性の例を示す。図７の縦軸は電池１０２ｃの充電容量を示し、横軸は携帯端末１０２の充電後からの時間を示す。例えば、特性Ｅ１、Ｅ２、Ｅ３は、携帯端末１０２のスタンバイ状態における電池１０２ｃの充電容量の変化を示している。例えば、特性Ｅ１は、携帯端末１０２の使用が開始された直後の電池１０２ｃの放電特性を示し、特性Ｅ２は、携帯端末１０２が標準的な使用状態で１年間使用され、電池１０２ｃが僅かに劣化した状態での放電特性を示す。例えば、特性Ｅ３は、電池１０２ｃが劣化した場合の放電特性を示し、充電から所定時間が経過した後の特性Ｅ（ｂ）は、充電直後の特性Ｅ（ａ）よりも放電しやすい。
【００９４】
電池１０２ｃは、劣化が進行するにつれて、単位時間当たりの放電量である充電容量の減少速度が早くなる。充電容量の減少速度は、特性Ｅ１、Ｅ２、Ｅ３の傾きで示される。例えば、制御部１０１ａは、図６のステップＳ５０４において、電池１０２ｃの充電容量の変化量である充電容量の減少速度が、特性Ｅ３（ｂ）に示す充電容量の減少速度より高い場合、制御部１０１ａは、携帯端末１０２の電池１０２ｃが劣化したと判定する。すなわち、図６のステップＳ５０４の判定条件は、特性Ｅ３（ｂ）の傾きであり、制御部１０１ａは、電池１０２ｃの充電容量の減少速度を示す傾きが特性Ｅ３（ｂ）の傾きより大きい場合に、電池１０２ｃが劣化したと判定する。
【００９５】
以上この実施形態では、利用者が携帯端末１０２を所持して外出中に電池１０２ｃの充電容量の残量が不足したときに、携帯端末１０２は、監視装置１０１からの情報の受信に基づいて充電を促すアラームを表示する。利用者は、アラームに基づいて、自宅１０４や最寄りの施設１０５の充電器で携帯端末１０２を充電できるため、利用者の外出時においても携帯端末１０２の電池１０２ｃの充電容量の残量が無くなることを抑制できる。また、この実施形態では、利用者は、監視装置１０１から受信する利用者の現在位置と利用者の移動速度に基づいて充電可能な場所を把握することができる。このため、利用者は、外出時においても携帯端末１０２の電池１０２ｃの充電容量の残量が無くなる前に、電池１０２ｃを充電できる。また、この実施形態では、携帯端末１０２の電池１０２ｃが劣化したとき、携帯端末１０２は、監視装置１０１からの情報の受信に基づいて電池１０２ｃの交換を促すアラームを表示する。このため、電池１０２ｃの劣化により充電容量の残量が無くなる可能性を従来に比べて減らすことができる。
【００９６】
図８は、監視装置、監視システムおよび監視方法の別の実施形態を示す。図１と同様の構成は、図１と同一の符号を用い、詳細な説明は省略する。この実施形態の監視システム１００Ａは、携帯端末１０２Ａとの間で通信可能なネットワーク１０３に接続された監視装置１０１Ａを有する。
【００９７】
監視装置１０１Ａは、ＧＰＳ衛星により携帯端末１０２Ａが取得する位置情報に加えて、利用者の歩幅と歩数とを用いて、単位時間当たりに携帯端末１０２Ａを所持する利用者が移動した距離を計算し、利用者の移動速度を求める。すなわち、監視装置１０１Ａは、プロセッサ１０１ｅが実行するプログラムが、図１に示した監視装置１０１と相違する。
【００９８】
携帯端末１０２Ａは、図１に示した携帯端末１０２に歩数計１０２ｈを追加している。携帯端末１０２Ａは、ＧＰＳ衛星からの信号に基づいて得られる携帯端末１０２Ａの位置情報に加えて、歩数計１０２ｈが取得した利用者の歩数を取得する。
【００９９】
監視装置１０１Ａは、位置情報に加えて、利用者の歩幅と歩数とを用いることで、ＧＰＳ衛星からの信号が途切れた場合に、図１に示した監視装置１０１よりも利用者の移動距離や移動速度を正確に算出可能である。
【０１００】
図９は、図８に示した携帯端末１０２Ａの利用開始処理と、監視装置１０１Ａの処理との例を示す。携帯端末１０２Ａは、図３に示したステップＳ１０１、Ｓ１０２の代わりにステップＳ１０１Ａ、Ｓ１０２Ａを実行する。監視装置１０１Ａは、図３に示したステップＳ２０１、Ｓ２０２の代わりに、ステップＳ２０１Ａ、Ｓ２０２Ａを実行する。ステップＳ１０１Ａ、Ｓ１０２Ａ、Ｓ２０１Ａ、Ｓ２０２Ａを除く処理は、図３と同様である。図３と同様の処理については、詳細な説明は省略する。
【０１０１】
ステップＳ１０１Ａにおいて、携帯端末１０２は、図３に示したステップＳ１０１の処理に加えて利用者の歩幅を示す歩幅情報を受け付ける。
【０１０２】
次に、ステップＳ１０２Ａにおいて、携帯端末１０２は、図３に示したステップＳ１０２の処理に加えて、利用者の歩幅情報を含む利用者登録情報を監視装置１０１に送信する。
【０１０３】
一方、ステップＳ２０１Ａにおいて、監視装置１０１Ａは、図３に示したステップＳ２０１の処理に加えて、利用者の歩幅情報を含む利用者登録情報を携帯端末１０２Ａから受信する。
【０１０４】
次に、ステップＳ２０２Ａにおいて、監視装置１０１Ａは、図３に示したステップＳ２０１の処理に加えて、利用者の歩幅情報を記憶部１０１ｄに割り当てられた利用者登録情報の格納領域に書き込む。
【０１０５】
図１０は、図９に示した利用開始処理の完了後の携帯端末１０２Ａの動作の例を示す。携帯端末１０２Ａは、図４に示したステップＳ３０４、Ｓ３０５、Ｓ３０６の代わりにステップＳ３０４Ａ、Ｓ３０５Ａ、Ｓ３０６Ａを実行する。ステップＳ３０４Ａ、Ｓ３０５Ａ、Ｓ３０６Ａを除く処理は、図４と同様である。図４と同様の処理については、詳細な説明は省略する。
【０１０６】
ステップＳ３０４Ａにおいて、携帯端末１０２Ａは、ＧＰＳ衛星からの信号に基づいて位置情報を取得するとともに、所定時間（例えば、１分）当たりにおける利用者の歩数を計数する。取得した位置情報と所定時間当たりにおける利用者の歩数を示す歩数情報とは、携帯端末１０２Ａに内蔵されるメモリ１０２ｄに蓄積される。
【０１０７】
次に、ステップＳ３０５Ａにおいて、携帯端末１０２は、位置情報と歩数情報とがメモリ１０２ｄに、例えば１０回分蓄積されたか否かを判定する。携帯端末１０２は、取得した位置情報と歩数情報とが１０回分蓄積されたと判定した場合、処理をステップＳ３０６Ａに移行する。一方、携帯端末１０２Ａは、取得した位置情報と歩数情報とが１０回分蓄積されていないと判定した場合、処理をステップＳ３０４Ａに移行する。
【０１０８】
携帯端末１０２Ａは、ステップＳ３０４Ａ、Ｓ３０５Ａのループを所定時間毎（例えば、１分毎）に繰り返す。これにより、位置情報と歩数情報とは、所定時間の経過毎に取得される。なお、ここでは一例として携帯端末１０２Ａは位置情報と歩数情報とを１０回分蓄積するが、蓄積回数は、１０回に限らなくてもよい。なお、図１１で説明するように、監視装置１０１Ａは、複数回蓄積された位置情報と歩数情報とを用いて、利用者の移動距離や移動速度を計算する。
【０１０９】
ステップＳ３０６Ａにおいて、携帯端末１０２Ａは、蓄積された位置情報と歩数情報とを、無線通信部１０２ｂを介して監視装置１０１Ａに通知する。なお、携帯端末１０２Ａは、１０回分蓄積した位置情報と歩数情報とを監視装置１０１Ａに通知することで、携帯端末１０２Ａと監視装置１０１Ａとの通信回数を減らすことができ、携帯端末１０２Ａの電池１０２ｃの充電容量の減少を抑制できる。
【０１１０】
図１１は、図８に示した監視装置１０１Ａが実行するステップＳ２０４の処理により起動される携帯端末１０２Ａの電池１０２ｃの充電容量の監視動作の処理の例を示す。監視装置１０１Ａは、図６に示したステップＳ５０８の代わりにステップＳ５０８Ａを実行する。ステップＳ５０８Ａを除く処理は、図６と同様である。図６と同様の処理については、詳細な説明は省略する。
【０１１１】
ステップＳ５０８Ａにおいて、監視装置１０１Ａにおける制御部１０１ａは、記憶部１０１ｄに記憶された携帯端末１０２Ａの位置情報に基づいて、単位時間当たりに利用者が移動した距離を計算する。例えば、制御部１０１ａは、図１０に示したステップＳ３０６Ａの処理に基づいて携帯端末１０２Ａから受信する連続する１０回分の位置情報を記憶部１０１ｄから読み出して、利用者が移動した距離を１０分毎に計算する。
【０１１２】
また、監視装置１０１Ａにおける制御部１０１ａは、記憶部１０１ｄに記憶された利用者の歩幅情報と記憶部１０１ｄに記憶された利用者の歩数情報とに基づいて、単位時間当たりに利用者が移動した距離を計算する。例えば、制御部１０１ａは、利用者の歩幅情報と、図１０に示したステップＳ３０６Ａの処理に基づいて携帯端末１０２Ａから受信する連続する１０回分の歩数情報とを記憶部１０１ｄから読み出す。そして、例えば、制御部１０１ａは、読み出した利用者の歩幅情報と利用者の１０回分の歩数情報とを掛け算して、利用者が移動した距離を１０分毎に計算する。
【０１１３】
制御部１０１ａは、位置情報に基づいて計算した距離が、歩数情報と歩幅情報とに基づいて計算した距離より単位時間当たりに所定の距離以上異なると判定した場合、位置情報に基づいて計算した距離を歩数情報と歩幅情報とに基づいて計算した距離を用いて補正する。例えば、制御部１０１ａは、位置情報に基づいて計算した距離が、歩数情報と歩幅情報とに基づいて計算した距離より１０分間当たりに１００メートル以上異なると判定した場合などである。この場合、制御部１０１ａは、位置情報に基づいて計算した距離を歩数情報と歩幅情報とに基づいて計算した距離で補正する。そして、制御部１０１ａは、補正された距離を利用者が移動した距離とし、補正された距離に基づいて、利用者の移動速度を求める。
【０１１４】
一方、制御部１０１ａは、位置情報に基づいて計算した距離が、歩数情報と歩幅情報とに基づいて計算した距離より単位時間当たりに所定の距離以上異ならないと判定した場合、位置情報に基づいて計算した距離は補正しなくてもよい。例えば、制御部１０１ａは、位置情報に基づいて計算した距離が、歩数情報と歩幅情報とに基づいて計算した距離より１０分間当たりに１００メートル以上異ならないと判定した場合、位置情報に基づいて計算した距離は補正せずに利用者の移動した距離としてもよい。そして、制御部１０１ａは、位置情報に基づいて計算された距離に基づいて、利用者の移動速度を求めてもよい。
【０１１５】
なお、制御部１０１ａは、位置情報に基づいて計算した距離と、歩数情報と歩幅情報とに基づいて計算した距離との相違の大小にかかわらず、位置情報に基づいて計算した距離を歩数情報と歩幅情報とに基づいて計算した距離で補正してもよい。そして、制御部１０１ａは、位置情報に基づいて計算した距離と、歩数情報と歩幅情報とに基づいて計算した距離との相違の大小にかかわらず、補正された距離を利用者が移動した距離とし、補正された距離に基づいて、利用者の移動速度を求めてもよい。
【０１１６】
また、制御部１０１ａは、位置情報に基づいて求めた利用者の移動速度を、歩数情報と歩幅情報とに基づいて求めた利用者の移動速度を用いて補正することにより、利用者の移動速度を求めてもよい。
【０１１７】
監視装置１０１Ａは、位置情報に加え、利用者の歩幅情報と歩数情報とを用いることで、例えば、利用者が地下街にいる場合など、ＧＰＳ衛星からの信号が途切れた場合に、図１に示した監視装置１０１よりも利用者の移動距離や移動速度を正確に算出可能である。
【０１１８】
なお、この実施形態においても、図１から図７に示した実施形態と同様に、監視装置１０１Ａは、地理情報システム（ＧＩＳ）を利用して、携帯端末１０２の位置情報と地理的な位置情報とを用いて、利用者の移動速度を求めてもよい。
【０１１９】
以上、この実施形態においても、図１から図７に示した実施形態と同様に、利用者の外出時においても携帯端末１０２の電池１０２ｃの充電容量の残量が無くなることを抑制できる。また、利用者は、外出時においても携帯端末１０２の電池１０２ｃの充電容量の残量が無くなる前に、電池１０２ｃを充電できる。また、電池１０２ｃの劣化により充電容量の残量が無くなる可能性を従来に比べて減らすことができる。
【０１２０】
さらに、この実施形態では、監視装置１０１Ａは、位置情報に加えて、利用者の歩幅情報と歩数情報とを用いることで、ＧＰＳ衛星からの信号が途切れた場合に、図１に示した監視装置１０１よりも利用者の移動距離や移動速度を正確に算出可能である。
【０１２１】
図１２は、監視装置、監視システムおよび監視方法の別の実施形態における携帯端末１０２の動作の例を示す。図１から図７に示した構成および処理と同様の構成および処理は、図１から図７と同一の符号を用い、詳細な説明は省略する。この実施形態では、監視装置１０１は、図１２で説明するように、携帯端末１０２の使用状況に応じて、異なる基準を用いて電池１０２ｃの劣化を検出する。
【０１２２】
図１２では、図４に示したステップＳ３１５の判定が削除され、図４に示したステップＳ３１６の代わりにステップＳ３１６Ａ、Ｓ３１６Ｂが挿入され、図４に示したステップＳ３１７の代わりにステップＳ３１７Ａが挿入される。ステップＳ３１６Ａ、Ｓ３１６Ｂ、３１７Ａを除く処理は、ステップＳ３１５が削除されることを除き、図４と同様である。
【０１２３】
ステップＳ３１６Ａにおいて、携帯端末１０２は、携帯端末１０２の使用状況とともに、電池１０２ｃの充電容量の残量を２回取得する。例えば、使用状況は、プロセッサ１０２ａの使用率に応じて判断される。すなわち、携帯端末１０２は、プロセッサ１０２ａの使用率を使用状況として取得する。
【０１２４】
この実施形態では、携帯端末１０２は、使用状況として、スタンバイ状態または携帯端末１０２を利用者が操作している操作状態のいずれかを取得する。例えば、スタンバイ状態は、図１に示したプロセッサ１０２ａの使用率が１０％以下である場合に判定され、操作状態は、プロセッサ１０２ａの使用率が１０％より高い場合に判定される。
【０１２５】
次に、ステップＳ３１６Ｂにおいて、携帯端末１０２は、充電容量の残量が、同じ使用状況の下で２回取得されたか否かを判定する。充電容量の残量が、同じ使用状況の下で２回取得された場合、処理はステップＳ３１７Ａに移行される。例えば、充電容量の残量が、スタンバイ状態の下で２回取得された場合、または、充電容量の残量が、操作状態の下で２回取得された場合、処理はステップＳ３１７Ａに移行される。
【０１２６】
一方、充電容量の残量が、互いに異なる使用状況の下で２回取得された場合、処理はステップＳ３０９に移行される。例えば、充電容量の残量が、スタンバイ状態と操作状態の下でそれぞれ取得された場合、処理はステップＳ３０９に移行される。
【０１２７】
ステップＳ３１７Ａにおいて、携帯端末１０２は、２回取得した電池１０２ｃの充電容量の残量の変化量を示す情報を、使用状況を示す情報とともに無線通信部１０２ｂを介して監視装置１０１に通知する。監視装置１０１は、携帯端末１０２からの通知に基づいて、電池１０２ｃの劣化の程度を判定する。なお、ステップＳ３１６Ａ、Ｓ３１６Ｂ、Ｓ３１７Ａの処理は、２日ごとあるいは３日ごとに行ってもよい。
【０１２８】
図１３は、図１２に示したステップＳ３１７Ａにより携帯端末１０２が通知する情報を受ける監視装置１０１の動作の例を示す。図１２では、図６に示したステップＳ５０４の代わりにステップＳ５０４Ａが挿入される。ステップＳ５０４を除く処理は、図６と同様である。
【０１２９】
ステップＳ５０４Ａにおいて、監視装置１０１は、携帯端末１０２から受信した電池１０２ｃの充電容量の残量の変化量を示す情報に基づいて、携帯端末１０２の使用状況毎に異なる閾値を用いて、電池１０２の劣化を判定する。制御部１０１ａは、電池１０２ｃの劣化を検出した場合、処理をステップＳ５１４に移行する。一方、制御部１０１ａは、電池１０２ｃが劣化していない場合、処理をステップＳ５０５に移行する。電池１０２の劣化を判定する閾値は、図１４で説明する。
【０１３０】
図１４は、図１３に示したステップＳ５０４Ａにおいて監視装置１０１が電池１０２ｃの劣化を検出する手法を示す。図１４（ａ）における特性Ｅ１、Ｅ２、Ｅ３は、図７と同様に、携帯端末１０２のスタンバイ状態における電池１０２ｃの充電容量の変化を示している。図１４（ｂ）における特性Ｅ１、Ｅ２、Ｅ３は、携帯端末１０２の操作状態（例えば、プロセッサ１０２ａの使用率が７０％である場合）における電池１０２ｃの充電容量の変化を示している。図１４（ｂ）における特性Ｅ１−Ｅ３は、図１４（ａ）における特性Ｅ１−Ｅ３よりも傾きが大きい。このため、携帯端末１０２の操作されている状態では、充電容量の変化速度は、スタンバイ状態時の充電容量の変化速度に比べて高い。なお、図１４（ａ）の特性Ｅ１、Ｅ２、Ｅ３は、図７の特性Ｅ１、Ｅ２、Ｅ３と同様であり、図１４（ｂ）の特性Ｅ１、Ｅ２、Ｅ３は、変化速度が異なることを除き、図７の特性Ｅ１、Ｅ２、Ｅ３と同様である。
【０１３１】
監視装置１０１は、ステップＳ５０４Ａにおいて、携帯端末１０２から受信した携帯端末１０２の使用状況に応じて、判定基準を変更する。すなわち、携帯端末１０２がスタンバイ状態の場合、図１４（ａ）に示す電池１０２の放電特性を用いて、電池１０２ｃの充電容量の減少速度を示す傾きが特性Ｅ３（ｂ）の傾きより大きい場合に、電池１０２ｃが劣化したと判定する。
【０１３２】
一方、携帯端末１０２が操作状態の場合、図１４（ｂ）に示す電池の放電特性を用いて、電池１０２ｃの充電容量の減少速度を示す傾きが特性Ｅ３（ｄ）の傾きより大きい場合に、電池１０２ｃが劣化したと判定する。なお、図１４では、携帯端末１０２の操作状態における放電特性は、図１４（ｂ）の１種類（例えば、プロセッサ１０２ａの使用率が７０％である場合）を示している。しかし、携帯端末１０２のプロセッサ１０２ａの使用率に応じて、複数の放電特性のいずれかを選択して、電池１０２ｃの劣化を判定してもよい。例えば、プロセッサ１０２ａの使用率を、１１％−３０％、３１％−５０％、５１％−７０％、７１％以上の４種類毎に分けて取得し、使用率が３０％、５０％、７０％、１００％の場合の放電特性をそれぞれ用いて、電池１０２ｃの劣化が判定されてもよい。なお、プロセッサ１０２ａの使用率に応じた閾値は、例えば、記憶部１０１ｄに記憶される。
【０１３３】
このように、携帯端末１０２の使用状況に応じて電池１０２ｃの劣化の判定条件である閾値を変更することで、監視装置１０１は、携帯端末１０２の使用状況に合わせて電池１０２ｃの劣化の検出をすることが可能になる。
【０１３４】
なお、この実施形態においても、図８−図１１に示した実施形態と同様に、監視装置１０１は、ＧＰＳ衛星からの信号に基づく位置情報に加えて利用者の歩幅情報と歩数情報とを用いて、利用者の移動速度を求めてもよい。
【０１３５】
以上、この実施形態においても、図１から図７に示した実施形態と同様に、利用者の外出時においても携帯端末１０２の電池１０２ｃの充電容量の残量が無くなることを抑制できる。また、利用者は、外出時においても携帯端末１０２の電池１０２ｃの充電容量の残量が無くなる前に、電池１０２ｃを充電できる。また、電池１０２ｃの劣化により充電容量の残量が無くなる可能性を従来に比べて減らすことができる。
【０１３６】
さらに、この実施形態では、携帯端末１０２の使用状況に応じて電池１０２ｃの劣化の判定条件である閾値を変更することで、監視装置１０１は、携帯端末１０２の使用状況に合わせて電池１０２ｃの劣化の検出をすることが可能になる。
【０１３７】
図１５は、監視装置、監視システムおよび監視方法の別の実施形態における監視システム１００の動作の概要を示す。図１から図７に示した構成および処理と同様の構成および処理は、図１から図７と同一の符号を用い、詳細な説明は省略する。
【０１３８】
この実施形態では、携帯端末１０２Ｂとの間で通信可能なネットワーク１０３に接続された監視装置１０１Ｂを有する。監視装置１０１Ａは、プロセッサ１０１ｅが実行するプログラムが、図１に示した監視装置１０１と相違する。また、携帯端末１０２Ｂは、プロセッサ１０２ａが実行するプログラムが、図１に示した携帯端末１０２と相違する。
【０１３９】
この実施形態では、二重丸で示す携帯端末１０２Ｂの利用者の自宅１０４の位置に加え、図１５に四角印で示す利用者に関係する人物の住所を示す場所１０６の位置が、監視装置１０１Ｂに予め登録されている。利用者に関係する人物の住所を示す場所１０６には、携帯端末１０２Ｂの充電器が設置されているとする。
【０１４０】
図１６は、図１５に示した携帯端末１０２Ｂの利用開始処理と、監視装置１０１Ｂの処理との例を示す。携帯端末１０２Ｂは、図３に示したステップＳ１０１、Ｓ１０２の代わりにステップＳ１０１Ｂ、Ｓ１０２Ｂを実行する。監視装置１０１Ｂは、図３に示したステップＳ２０１、Ｓ２０２、Ｓ２０３の代わりに、ステップＳ２０１Ｂ、Ｓ２０２Ｂ、Ｓ２０３Ｂを実行する。ステップＳ１０１Ｂ、Ｓ１０２Ｂ、Ｓ２０１Ｂ、Ｓ２０２Ｂ、Ｓ２０３Ｂを除く処理は、図３と同様である。
【０１４１】
ステップＳ１０１Ｂにおいて、携帯端末１０２Ｂは、図３に示したステップＳ１０１の処理に加えて、利用者に関係する人物の携帯端末の機種情報（電話番号など）および利用者に関係する人物の住所を受け付ける。
【０１４２】
次に、ステップＳ１０２Ｂにおいて、携帯端末１０２Ｂは、図４に示したステップＳ１０２の処理に加えて、利用者に関係する人物の携帯端末の機種情報および利用者に関係する人物の住所を示す情報を含む利用者登録情報を監視装置１０１Ｂに送信する。
【０１４３】
一方、ステップＳ２０１Ｂにおいて、監視装置１０１Ｂは、図３に示したステップＳ２０１の処理に加えて、利用者に関係する人物の携帯端末の機種情報および利用者に関係する人物の住所を示す情報を含む利用者登録情報を携帯端末１０２Ｂから受信する。
【０１４４】
次に、ステップＳ２０２Ｂにおいて、監視装置１０１Ｂは、図４に示したステップＳ２０１の処理に加えて、利用者に関係する人物の携帯端末の機種情報および利用者に関係する人物の住所を示す情報を記憶部１０１ｄの利用者登録情報の格納領域に書き込む。
【０１４５】
次に、ステップＳ２０３Ｂにおいて、監視装置１０１Ｂは、携帯端末１０２に利用者登録情報の登録完了通知を送信するとともに、利用者に関係する人物の携帯端末にも利用者登録情報の登録完了通知を送信する。
【０１４６】
この実施形態では、監視装置１０１Ｂは、電池１０２ｃの充電容量が十分でないときは、図２に示した情報に加えて図１５に示す利用者に関係する人物の住所を示す場所１０６をディスプレイ１０２ｅに表示させる情報を携帯端末１０２Ｂに送信する。また、監視装置１０１Ｂは、利用者の位置を示す情報と電池１０２ｃの充電容量の残量の不足を示す情報とを、利用者に関係する人物の携帯端末に送信する。なお、利用者に関係する人物は、例えば、利用者の家族や親族等である。
【０１４７】
これにより、この実施形態では、図２に示した場合に比べて、携帯端末１０２Ｂの充電器が円Ｄ２内に存在する確率を高くすることができ、利用者が携帯端末１０２Ｂを充電できる確率を高くできる。また、充電容量の残量の不足が、家族等の利用者に関係する人物に通知されるため、例えば、利用者が高齢者や子供などの場合に、携帯端末１０２Ｂによる連絡が遮断される可能性を低くできる。
【０１４８】
なお、この実施形態においても、図８−図１１に示した実施形態と同様に、監視装置１０１は、ＧＰＳ衛星からの信号に基づく位置情報に加えて利用者の歩幅情報と歩数情報とを用いて、利用者の移動速度を求めてもよい。
【０１４９】
以上、この実施形態においても、図１から図７に示した実施形態と同様に、利用者の外出時においても携帯端末１０２Ｂの電池１０２ｃの充電容量の残量が無くなることを抑制できる。また、利用者は、外出時においても携帯端末１０２Ｂの電池１０２ｃの充電容量の残量が無くなる前に、電池１０２ｃを充電できる。また、電池１０２ｃの劣化により充電容量の残量が無くなる可能性を従来に比べて減らすことができる。
【０１５０】
さらに、電池１０２ｃの充電容量の残量が不足した場合に、利用者に関係する人物の住所を示す場所１０６がディスプレイ１０２ｅに表示可能であるため、利用者が携帯端末１０２Ｂを充電できる確率を高くできる。また、充電容量の残量の不足が家族等の利用者に関係する人物に通知されるため、携帯端末１０２Ｂによる連絡が遮断される可能性を低くできる。
【０１５１】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【０１５２】
１００、１００Ａ…監視システム；１０１、１０１Ａ、１０１Ｂ…監視装置；１０１ａ…制御部；１０１ｂ…受信部；１０１ｃ…送信部；１０１ｄ…記憶部；１０１ｅ…プロセッサ；１０１ｆ…第１算出部；１０１ｇ…第２算出部；１０１ｈ…抽出部；１０１ｉ…判定部；１０２、１０２Ａ、１０２Ｂ…携帯端末；１０２ａ…プロセッサ；１０２ｂ…無線通信部；１０２ｃ…電池；１０２ｄ…メモリ；１０２ｅ…ディスプレイ；１０２ｆ…スピーカ；１０２ｇ…操作部；１０２ｈ…歩数計；１０３…ネットワーク；１０４…自宅；１０５、１０５ａ−１０５ｄ…施設；１０６…利用者に関係する人物の住所を示す場所；Ｄ１−Ｄ３…円；Ｅ１−Ｅ３、Ｅ３（ａ）−Ｅ３（ｄ）…特性
【図１】
2014179890.tif 000003
【図２】
2014179890.tif 000004
【図３】
2014179890.tif 000005
【図４】
2014179890.tif 000006
【図５】
2014179890.tif 000007
【図６】
2014179890.tif 000008
【図７】
2014179890.tif 000009
【図８】
2014179890.tif 000010
【図９】
2014179890.tif 000011
【図１０】
2014179890.tif 000012
【図１１】
2014179890.tif 000013
【図１２】
2014179890.tif 000014
【図１３】
2014179890.tif 000015
【図１４】
2014179890.tif 000016
【図１５】
2014179890.tif 000017
【図１６】
2014179890.tif 000018